(57)【要約】【課題】浄化性能を良好に維持すると共に、周囲の者に対して排気による不快感を与えることがない吸排気装置を提供する。【解決手段】空気を吸引して浄化する空気浄化室１０と、浄化された空気が導入される排気室２０とが縦長の筐体２内において横方向に隣接配置され、排気室２０は、縦方向の一端側に形成され空気浄化室１０と連通する連通部２１と、連通部２１と対向する筐体２の側面に形成され空気を外部に排出する排出部２２とを備え、排気室２０内において連通部２１と排出部２２との間を仕切る多孔板２４を設けることにより、排出部２２から排出される空気の流速分布が略均一となるように吸排気装置を構成する。【選択図】  図２
2004354001.tif 000002
【特許請求の範囲】
【請求項１】
空気を吸引して浄化する空気浄化室と、浄化された空気が導入される排気室とが縦長の筐体内において横方向に隣接配置され、
前記排気室は、縦方向の一端側に形成され前記空気浄化室と連通する連通部と、該連通部と対向する前記筐体側面に形成され空気を外部に排出する排出部とを備え、
前記排気室内において前記連通部と前記排出部との間を仕切る多孔板を設けることにより、前記排出部から排出される空気の流速分布が略均一となるように構成された吸排気装置。
【請求項２】
前記多孔板は、前記一端側から他端側に向けて開口率が小さくなるように形成されている請求項１に記載の吸排気装置。
【請求項３】
前記多孔板は、表面から前記連通部側に向けて延びる邪魔板を備え、
前記邪魔板は、縦方向に沿って所定の間隔で複数配置されており、前記各邪魔板の延出長さが前記一端側から他端側に向けて長くなるように構成された請求項１又は２に記載の吸排気装置。
【請求項４】
前記多孔板は、該多孔板により仕切られる前記排気室の上流側空間の幅が、前記一端側から他端側に向けて小さくなるように縦方向に対して傾斜配置されている請求項１から３のいずれかに記載の吸排気装置。
【発明の詳細な説明】
【０００１】
【発明の属する技術分野】
本発明は、たばこの煙などを含む空気を吸引して浄化した後に排出する吸排気装置に関する。
【０００２】
【従来の技術】
オフィスや公共スペースなどにおける分煙化を目的として、従来から種々の分煙装置が開発されている（例えば、特許文献１及び２）。
【０００３】
特許文献１に記載された分煙装置は、空気吸引口及び空気排出口を備える分煙機本体内に送風機及び空気清浄装置を収納し、送風機の作動により分煙機本体の上面から吸引された空気が、空気清浄装置を経て分煙機本体の底面から排出されるように構成されている。
【０００４】
また、特許文献２に記載された分煙装置は、前面中央部に吸気口を備えた壁部と、この壁部の上部に設けられる天板部とを有しており、吸気口から導入された空気の一部が壁部の上方にそのまま排出されて、前記天板部により吸気口の近傍で循環されると共に、導入された残りの空気が前記壁部内において浄化された後、壁部の前面下部に設けられた排気口から排出される。
【０００５】
【特許文献１】
特開２０００−１７６３１４号公報（第１頁、第２図）
【０００６】
【特許文献２】
特開２０００−２１８１１５号公報（第１頁、第６図）
【０００７】
【発明が解決しようとする課題】
ところが、上述した従来の分煙装置は、吸引浄化された空気が装置下方からそのまま排出される構成であるので、排気流によって分煙装置の近傍にいる喫煙者などが足下に寒さを感じるおそれがあった。特に最近では、受動喫煙を確実に防止するために完全分煙に対する社会的な要求が高まっており、分煙装置が大風量化（例えば、排気流量が１０ｍ３／ｍｉｎ以上）する傾向にあるため、上記問題がより顕著なものとなっていた。
【０００８】
また、このように排気流量が増大することによって、分煙装置が配置された空間に意図しない気流が生じ、これによって分煙装置の吸引性能が低下したり分煙化が困難になるという問題があった。
【０００９】
本発明は、このような問題を解決すべくなされたものであって、浄化性能を良好に維持すると共に、周囲の者に対して排気による不快感を与えることがない吸排気装置の提供を目的とする。
【００１０】
【課題を解決するための手段】
本発明の前記目的は、空気を吸引して浄化する空気浄化室と、浄化された空気が導入される排気室とが縦長の筐体内において横方向に隣接配置され、前記排気室は、縦方向の一端側に形成され前記空気浄化室と連通する連通部と、該連通部と対向する前記筐体側面に形成され空気を外部に排出する排出部とを備え、前記排気室内において前記連通部と前記排出部との間を仕切る多孔板を設けることにより、前記排出部から排出される空気の流速分布が均一となるように構成された吸排気装置により達成される。
【００１１】
【発明の実施の形態】
以下、添付図面を参照しながら、本発明の実施の形態について説明する。図１は本発明の一実施形態に係る吸排気装置を示す斜視図であり、図２はその縦断面図である。図１及び図２に示すように、吸排気装置は、筐体２の内部に空気浄化室１０及び排気室２０を備えており、底面に設けられたキャスター４により、上下縦長の状態で起立すると共に移動可能に構成されている。尚、筐体２のサイズに特に限定はないが、例えば、本実施形態に係る吸排気装置をたばこの吸煙装置として使用する場合には、床面からの高さを１５０ｃｍ程度にすることが好ましい。
【００１２】
空気浄化室１０は、フィルタ１１、オゾン発生器１２、触媒層１３および吸引ファン１４を備えており、筐体２の上部に吸引口１５が形成されている。筐体２の上部には、吸引口１５が形成された側面の法線方向に沿って吸引口１５の上方を覆うように延びるガイド板１６が設けられている。尚、筐体２において吸引口１５が形成された側面には、メンテナンス用の扉１９が設けられている。
【００１３】
排気室２０は、空気浄化室１０における吸引口１５が形成された側面以外の側面を囲むように、空気浄化室１０に対して横方向（水平方向）に隣接配置されており、筐体２の長手方向（縦方向）一端側である下部に空気浄化室１０と連通する連通部２１を備えている。連通部２１と対向する筐体２の３つの側面には、網状部材からなる排出部２２が略全体に形成されている。
【００１４】
排気室２０における連通部２１と排出部２２との間は、コ字状に折り曲げられた多孔板２４により仕切られている。多孔板２４は、図３に示すように、開口率が異なる複数の帯状サブプレート２４ａを接合することにより、一端側（下部側）から他端側（上部側）に向けて開口率が段階的に小さくなるように形成されており、筐体２の底面に対して略垂直となるように設置されている。
【００１５】
次に、上述した吸排気装置の作用について説明する。吸引ファン１４を作動させると、周囲の空気がガイド板１６の下面に沿って吸引され、吸引口１５を介して空気浄化室１０に導入される。
【００１６】
空気浄化室１０に導入された空気は、含有するタバコの煙や埃などがフィルタ１１を通過する過程で吸着され、オゾン発生器１２の通過によりオゾンと混合されて、触媒層１３の通過により悪臭原因物質が分解除去される。こうして清浄化された空気は、連通部２１を介して排気室２０に導入される。
【００１７】
排気室２０に導入された空気は、多孔板２４を通過して排出部２２から排出される。排気室２０における多孔板２４の上流側（図３における左側）の空間には長手方向に沿って圧力分布が生じるが、本実施形態における多孔板２４は、上方に向けて開口率が小さくなり、空気が通過しにくくなる。この結果、排出部２２から排出される空気の流速分布を略均一にすることができる。
【００１８】
このように、筐体２の側面全体から流速分布が均一な状態で排気することができるので、排気流速が局所的に速くなるおそれがない。この結果、吸排気装置の周囲にいる者に対して、排気が直接当たることによる不快感を防止することができ、更に、排気流に起因する清浄化効率の低下を防止することができる。
【００１９】
特に、本実施形態においては、吸引口１５が形成された側面以外の３つの側面にそれぞれ排出部２２が形成されているので、排出部２２の総面積を十分に確保することができる。したがって、吸排気装置を大流量タイプとしても、排気流速を低速に抑えて上記効果を維持することが可能である。
【００２０】
以上、本発明の一実施形態について詳述したが、本発明の具体的な態様が上記実施形態に限定されるものではない。例えば、本実施形態においては、開口率が異なる帯状サブプレート２４ａを組み合わせることにより、開口率が段階的に変化する多孔板２４を使用しているが、形成する多数の孔の開口径を徐々に変えることにより、開口率が連続的に変化する多孔板を使用することもできる。
【００２１】
また、排出部から排出される空気の流速分布を略均一にする方法としては、多孔板の開口率分布を変化させる方法に必ずしも限定されるものではない。例えば、図４に示すように、多孔板２４の表面から連通部側に延びる邪魔板２４１を複数設けることにより、多孔板２４の上流側空間における空気の流れを制御するようにしてもよい。この場合、各邪魔板２４１の延出長さが、一端側の下部から他端側の上部に向けて長くなるように設定することが好ましい。
【００２２】
また、図５に示すように、排気室２０における多孔板２４の上流側空間の幅が下部から上部に向けて小さくなるように、多孔板２４を縦方向（長手方向）に対して傾斜配置することによっても、排出部２２から排出される空気の流速分布を略均一にすることが可能である。
【００２３】
図４及び図５に示す構成において、多孔板２４は開口率分布が均一なものを使用しているが、邪魔板２４１の長さや設置角度、或いは多孔板２４の傾斜角度を適宜調整することにより、本実施形態と同様の開口率分布を有する多孔板や、ランダムな開口率分布を有する多孔板を使用することも可能である。
【００２４】
また、本実施形態においては、排出部２２を網状部材から構成しているが、ルーバーを有するガラリ形状とすることもできる。
【００２５】
また、本実施形態においては、排出部２２を３つの側面に設けた構成としているが、吸気口１５とは反対側の側面にのみ排出部２２を設けることも可能である。
【００２６】
また、本実施形態においては、筐体２の形状を平面視矩形状としているが、例えば、図６に示すように、断面の輪郭が曲線状の筒状体から筐体２を構成してもよく、更には、図７に示すような３次元曲面を有する筐体２を使用してもよい。
【００２７】
また、空気浄化室１０の構成についても本実施形態のものに限定されず、例えば光触媒と蛍光ランプとの組み合わせなど、種々の空気清浄装置を備えた構成にすることができる。
【００２８】
【実施例】
以下、実施例及び比較例に基づいて、本発明を更に詳細に説明する。
【００２９】
（実施例１）
図１及び図２に示す本実施形態の吸排気装置を用いて、排出部から排出される排気の流速分布を測定した。測定ポイントを図８に黒丸で示す。図８（ａ）及び（ｂ）は、それぞれ吸排気装置の平面図および側面図である。図８（ａ）における黒丸ａ〜ｍは、それぞれ筐体２から水平方向に１０ｃｍ離れた位置に対応しており、図８（ｂ）に示すように、床面から垂直方向１０ｃｍ毎に第１層から第５層の間で測定している。筐体のサイズは、Ｗ：５０ｃｍ、Ｄ：５０ｃｍ、Ｈ：７５ｃｍとした。
【００３０】
多孔板としては、４枚の帯状サブプレートを接合したものを使用した。各帯状サブプレートの開口率は、下部側から順に５８％、３９％、１９％、１２％とした。また、吸引ファンによる吸引流量は、１５ｍ３／ｍｉｎとした。この測定結果を図９に示す。
【００３１】
図９において、各測定ポイントは、層番号と平面視における位置との組み合わせで表示しており、例えば、「１ａ」は、図８（ｂ）に示す第１層において、図８（ａ）に示すａの位置で測定した流速を表している。図９から明らかなように、各測定ポイントで測定された排気流速はほとんど同じであり、略均一な流速分布が得られていることがわかる。
【００３２】
（比較例１）
実施例１における多孔板を取り除く以外は、実施例１と同じ条件で排気の流速分布を測定した。この結果を図１０に示す。同図に示すように、多孔板を使用しない場合には、上部にいくほど流速が増加しており、均一な流速分布が得られていないことがわかる。
【００３３】
（比較例２）
実施例１における多孔板に変えて開口率分布が均一な多孔板を用いる以外は、実施例１と同じ条件で排気の流速分布を測定した。この結果を図１１に示す。同図に示すように、開口率分布が均一な多孔板を使用した場合には、比較例１に比べると流速のばらつきが低減されているが、やはり均一な流速分布が得られていないことがわかる。
【００３４】
【発明の効果】
以上の説明から明らかな通り、本発明の吸排気装置によれば、浄化性能を良好に維持すると共に、周囲の者に対して排気による不快感を与えることがない吸排気装置を提供することができる。
【図面の簡単な説明】
【図１】本発明の一実施形態に係る吸排気装置の斜視図である。
【図２】図１に示す吸排気装置の縦断面図である。
【図３】図１に示す吸排気装置の要部平面図である。
【図４】本発明の他の実施形態に係る吸排気装置の要部縦断面図である。
【図５】本発明の更に他の実施形態に係る吸排気装置の要部縦断面図である。
【図６】本発明の更に他の実施形態に係る吸排気装置の斜視図である。
【図７】本発明の更に他の実施形態に係る吸排気装置の斜視図である。
【図８】実施例及び比較例に係る吸排気装置の（ａ）平面図及び（ｂ）側面図である。
【図９】実施例に係る排気の流速分布の測定結果を示す図である。
【図１０】比較例に係る排気の流速分布の測定結果を示す図である。
【図１１】他の比較例に係る排気の流速分布の測定結果を示す図である。
【符号の説明】
２  筐体
４  キャスター
１０  空気浄化室
１１  フィルタ
１２  オゾン発生器
１３  触媒層
１４  吸引ファン
１５  吸引口
２０  排気室
２１  連通部
２２  排出部
２４  多孔板
２４１  邪魔板
【図１】
2004354001.tif 000003
【図２】
2004354001.tif 000004
【図３】
2004354001.tif 000005
【図４】
2004354001.tif 000006
【図５】
2004354001.tif 000007
【図６】
2004354001.tif 000008
【図７】
2004354001.tif 000009
【図８】
2004354001.tif 000010
【図９】
2004354001.tif 000011
【図１０】
2004354001.tif 000012
【図１１】
2004354001.tif 000013